(57)【特許請求の範囲】
【請求項１】
低段側圧縮機、低段側凝縮器、カスケード熱交換器、低段側膨張弁および低段側蒸発器が順次環状に接続されて冷媒を循環させる低段側ヒートポンプと、
高段側圧縮機、高段側凝縮器、高段側膨張弁、前記カスケード熱交換器および高段側蒸発器が順次環状に接続されて冷媒を循環させる高段側ヒートポンプと、
熱源流体との熱交換により通水を加温する給水加温用熱交換器とを備え、
前記低段側凝縮器は、前記低段側ヒートポンプの冷媒と通水との熱交換器であり、
前記低段側蒸発器は、前記低段側ヒートポンプの冷媒と熱源流体との熱交換器であり、
前記高段側凝縮器は、前記高段側ヒートポンプの冷媒と通水との熱交換器であり、
前記高段側蒸発器は、前記高段側ヒートポンプの冷媒と熱源流体との熱交換器であり、
前記カスケード熱交換器は、前記低段側ヒートポンプの冷媒と前記高段側ヒートポンプの冷媒との熱交換器であり、
給水路を介した給水タンクへの給水が、前記給水加温用熱交換器、前記低段側凝縮器および前記高段側凝縮器に順に通され、
前記低段側蒸発器と前記高段側蒸発器とに、熱源流体が、設定順序で直列に通されるか、並列に通され、
これら各蒸発器への熱源流体の供給とは並列に、前記給水加温用熱交換器に熱源流体が通され、
前記給水路を介した前記給水タンクへの給水中、設定条件を満たすと、前記高段側圧縮機の運転を維持しつつ、前記低段側圧縮機の運転を停止する
ことを特徴とする給水加温システム。
【請求項２】
前記高段側蒸発器への熱源流体温度が低段側停止温度を超えると、前記設定条件を満たしたとして、前記低段側圧縮機を停止する
ことを特徴とする請求項１に記載の給水加温システム。
【請求項３】
前記給水路を介した前記給水タンクへの給水中、前記高段側凝縮器の出口側水温を設定温度に維持するように通水量を調整し、
前記通水量を調整するポンプの回転数または弁の開度が低段側停止値を超えると、前記設定条件を満たしたとして、前記低段側圧縮機を停止する
ことを特徴とする請求項１または請求項２に記載の給水加温システム。
【請求項４】
前記給水タンクの水位が低段側停止水位を上回ると、前記設定条件を満たしたとして、前記低段側圧縮機を停止する
ことを特徴とする請求項１〜３のいずれか１項に記載の給水加温システム。
【請求項５】
低段側圧縮機、低段側凝縮器、カスケード熱交換器、低段側膨張弁および低段側蒸発器が順次環状に接続されて冷媒を循環させる低段側ヒートポンプと、
高段側圧縮機、高段側凝縮器、高段側膨張弁、前記カスケード熱交換器および高段側蒸発器が順次環状に接続されて冷媒を循環させる高段側ヒートポンプと、
熱源流体との熱交換により通水を加温する給水加温用熱交換器とを備え、
前記低段側凝縮器は、前記低段側ヒートポンプの冷媒と通水との熱交換器であり、
前記低段側蒸発器は、前記低段側ヒートポンプの冷媒と熱源流体との熱交換器であり、
前記高段側凝縮器は、前記高段側ヒートポンプの冷媒と通水との熱交換器であり、
前記高段側蒸発器は、前記高段側ヒートポンプの冷媒と熱源流体との熱交換器であり、
前記カスケード熱交換器は、前記低段側ヒートポンプの冷媒と前記高段側ヒートポンプの冷媒との熱交換器であり、
給水路を介した給水タンクへの給水が、前記給水加温用熱交換器、前記低段側凝縮器および前記高段側凝縮器に順に通され、
前記低段側蒸発器と前記高段側蒸発器とに、熱源流体が、設定順序で直列に通されるか、並列に通され、
これら各蒸発器への熱源流体の供給とは並列に、前記給水加温用熱交換器に熱源流体が通され、
前記各圧縮機の停止状態からの起動時、まずは前記高段側圧縮機を起動し、その後、設定タイミングで前記低段側圧縮機を起動する
ことを特徴とする給水加温システム。
【請求項６】
低段側圧縮機、低段側凝縮器、カスケード熱交換器、低段側膨張弁および低段側蒸発器が順次環状に接続されて冷媒を循環させる低段側ヒートポンプと、
高段側圧縮機、高段側凝縮器、高段側膨張弁、前記カスケード熱交換器および高段側蒸発器が順次環状に接続されて冷媒を循環させる高段側ヒートポンプと、
熱源流体との熱交換により通水を加温する給水加温用熱交換器とを備え、
前記低段側凝縮器は、前記低段側ヒートポンプの冷媒と通水との熱交換器であり、
前記低段側蒸発器は、前記低段側ヒートポンプの冷媒と熱源流体との熱交換器であり、
前記高段側凝縮器は、前記高段側ヒートポンプの冷媒と通水との熱交換器であり、
前記高段側蒸発器は、前記高段側ヒートポンプの冷媒と熱源流体との熱交換器であり、
前記カスケード熱交換器は、前記低段側ヒートポンプの冷媒と前記高段側ヒートポンプの冷媒との熱交換器であり、
給水路を介した給水タンクへの給水が、前記給水加温用熱交換器、前記低段側凝縮器および前記高段側凝縮器に順に通され、
前記低段側蒸発器と前記高段側蒸発器とに、熱源流体が、設定順序で直列に通されるか、並列に通され、
これら各蒸発器への熱源流体の供給とは並列に、前記給水加温用熱交換器に熱源流体が通され、
前記給水加温用熱交換器への熱源流体温度と、前記給水加温用熱交換器の出口側水温との温度差を設定値に維持するように、前記給水加温用熱交換器への熱源流体の供給流量を調整する
ことを特徴とする給水加温システム。
【請求項７】
低段側圧縮機、低段側凝縮器、カスケード熱交換器、低段側膨張弁および低段側蒸発器が順次環状に接続されて冷媒を循環させる低段側ヒートポンプと、
高段側圧縮機、高段側凝縮器、高段側膨張弁、前記カスケード熱交換器および高段側蒸発器が順次環状に接続されて冷媒を循環させる高段側ヒートポンプと、
熱源流体との熱交換により通水を加温する給水加温用熱交換器とを備え、
前記低段側凝縮器は、前記低段側ヒートポンプの冷媒と通水との熱交換器であり、
前記低段側蒸発器は、前記低段側ヒートポンプの冷媒と熱源流体との熱交換器であり、
前記高段側凝縮器は、前記高段側ヒートポンプの冷媒と通水との熱交換器であり、
前記高段側蒸発器は、前記高段側ヒートポンプの冷媒と熱源流体との熱交換器であり、
前記カスケード熱交換器は、前記低段側ヒートポンプの冷媒と前記高段側ヒートポンプの冷媒との熱交換器であり、
給水路を介した給水タンクへの給水が、前記給水加温用熱交換器、前記低段側凝縮器および前記高段側凝縮器に順に通され、
前記低段側蒸発器と前記高段側蒸発器とに、熱源流体が設定順序で順に通され、
これら各蒸発器への熱源流体の供給とは並列に、前記給水加温用熱交換器に熱源流体が通され、
前記各蒸発器を通過後の熱源流体温度と、前記給水加温用熱交換器を通過後の熱源流体温度とが等しくなるように、前記各蒸発器と前記給水加温用熱交換器とへの熱源流体の分配割合を調整する
ことを特徴とする給水加温システム。
【発明の詳細な説明】
【技術分野】
【０００１】
本発明は、ヒートポンプを用いた給水加温システムに関するものである。
【背景技術】
【０００２】
従来、下記特許文献１に開示されるように、ヒートポンプを用いた給水加温システムが知られている。この給水加温システム（１）は、ヒートポンプ（４）と給水加温用熱交換器（１２）とを備え、給水路（８）を介した給水タンク（３）への給水は、給水加温用熱交換器（１２）、過冷却器（１７）および凝縮器（１４）を順に通される。給水加温用熱交換器（１２）は、給水路（８）を介した給水タンク（３）への給水と、蒸発器（１６）を通過後の熱源流体との熱交換器であり、過冷却器（１７）は、給水路（８）を介した給水タンク（３）への給水と、凝縮器（１４）から膨張弁（１５）への冷媒との熱交換器であり、凝縮器（１４）は、給水路（８）を介した給水タンク（３）への給水と、圧縮機（１３）からの冷媒との熱交換器である。
【先行技術文献】
【特許文献】
【０００３】
【特許文献１】特開２０１３−２１０１１８号公報
【発明の概要】
【発明が解決しようとする課題】
【０００４】
従来構成では、熱源流体の温度が低い場合（たとえば３０〜４０℃の場合）、凝縮器の出口側における出湯温度を所望温度まで加温することが難しい。
【０００５】
そこで、本発明が解決しようとする課題は、熱源流体の温度が低くても、効率よく給水を所望温度まで加温できる給水加温システムを提供することにある。
【課題を解決するための手段】
【０００６】
本発明は、前記課題を解決するためになされたもので、請求項１に記載の発明は、低段側圧縮機、低段側凝縮器、カスケード熱交換器、低段側膨張弁および低段側蒸発器が順次環状に接続されて冷媒を循環させる低段側ヒートポンプと、高段側圧縮機、高段側凝縮器、高段側膨張弁、前記カスケード熱交換器および高段側蒸発器が順次環状に接続されて冷媒を循環させる高段側ヒートポンプと、熱源流体との熱交換により通水を加温する給水加温用熱交換器とを備え、前記低段側凝縮器は、前記低段側ヒートポンプの冷媒と通水との熱交換器であり、前記低段側蒸発器は、前記低段側ヒートポンプの冷媒と熱源流体との熱交換器であり、前記高段側凝縮器は、前記高段側ヒートポンプの冷媒と通水との熱交換器であり、前記高段側蒸発器は、前記高段側ヒートポンプの冷媒と熱源流体との熱交換器であり、前記カスケード熱交換器は、前記低段側ヒートポンプの冷媒と前記高段側ヒートポンプの冷媒との熱交換器であり、給水路を介した給水タンクへの給水が、前記給水加温用熱交換器、前記低段側凝縮器および前記高段側凝縮器に順に通され、前記低段側蒸発器と前記高段側蒸発器とに、熱源流体が、設定順序で直列に通されるか、並列に通され、これら各蒸発器への熱源流体の供給とは並列に、前記給水加温用熱交換器に熱源流体が通され、前記給水路を介した前記給水タンクへの給水中、設定条件を満たすと、前記高段側圧縮機の運転を維持しつつ、前記低段側圧縮機の運転を停止することを特徴とする給水加温システムである。
【０００７】
請求項１，５，６，７に記載の発明によれば、低段側ヒートポンプと高段側ヒートポンプとが、カスケード熱交換器で接続される。カスケード熱交換器は、低段側過冷却器として機能すると共に、高段側蒸発器としても機能する。低段側ヒートポンプで熱源流体から汲み上げられた熱は、カスケード熱交換器を介して、高段側ヒートポンプでさらに汲み上げられる。しかも、高段側ヒートポンプでは、カスケード熱交換器とは別に設けた高段側蒸発器においても、熱源流体から熱が汲み上げられる。従って、熱源流体が比較的低温であっても、給水路の通水を所望に加温することができる。この際、給水加温用熱交換器で予熱した給水を、低段側凝縮器および高段側凝縮器に順に通して、所望温度まで加温することができる。低段側ヒートポンプでは、低段側凝縮器がカスケード熱交換器より低段側圧縮機の側に設けられ、低段側圧縮機からの高温の冷媒で通水を加温できるので、通水を昇温させ易い。
【０００９】
請求項１，５，６に記載の発明によれば、給水加温用熱交換器には、各蒸発器と並列に熱源流体が通されるので、各蒸発器を通過後の熱源流体が直列に通される場合と比較して、給水加温用熱交換器における通水の加熱量を増すことができる。
【００１１】
請求項１に記載の発明によれば、給水路を介した給水タンクへの給水中、所望により、低段側圧縮機を停止させて、高段側ヒートポンプのみで給水の加温を図ることができる。
【００１２】
請求項２に記載の発明は、前記高段側蒸発器への熱源流体温度が低段側停止温度を超えると、前記設定条件を満たしたとして、前記低段側圧縮機を停止することを特徴とする請求項１に記載の給水加温システムである。
【００１３】
請求項２に記載の発明によれば、熱源流体温度が所定より高ければ、低段側圧縮機を停止させて、高段側ヒートポンプのみで給水の加温を図ることができる。これにより、消費電力の削減を図ることができる。
【００１４】
請求項３に記載の発明は、前記給水路を介した前記給水タンクへの給水中、前記高段側凝縮器の出口側水温を設定温度に維持するように通水量を調整し、前記通水量を調整するポンプの回転数または弁の開度が低段側停止値を超えると、前記設定条件を満たしたとして、前記低段側圧縮機を停止することを特徴とする請求項１または請求項２に記載の給水加温システムである。
【００１５】
請求項３に記載の発明によれば、給水路を介した給水タンクへの給水中、高段側凝縮器の出口側水温を設定温度に維持するように通水量を調整することで、給水源の水温や熱源流体の温度に拘わらず、所望温度の温水を得ることができる。また、通水量を調整するポンプの回転数または弁の開度が所定より大きくなり過ぎると、前記通水量の調整が不可能になるおそれがあるので、低段側圧縮機を停止させることで、出湯温度一定制御を安定して行うことができる。
【００１６】
請求項４に記載の発明は、前記給水タンクの水位が低段側停止水位を上回ると、前記設定条件を満たしたとして、前記低段側圧縮機を停止することを特徴とする請求項１〜３のいずれか１項に記載の給水加温システムである。
【００１７】
請求項４に記載の発明によれば、給水タンクの水位が所定より高まれば、低段側圧縮機を停止させて、高段側ヒートポンプのみで給水の加温を図るので、給水量を落とした制御が容易となる。
【００２０】
請求項５に記載の発明は、低段側圧縮機、低段側凝縮器、カスケード熱交換器、低段側膨張弁および低段側蒸発器が順次環状に接続されて冷媒を循環させる低段側ヒートポンプと、高段側圧縮機、高段側凝縮器、高段側膨張弁、前記カスケード熱交換器および高段側蒸発器が順次環状に接続されて冷媒を循環させる高段側ヒートポンプと、熱源流体との熱交換により通水を加温する給水加温用熱交換器とを備え、前記低段側凝縮器は、前記低段側ヒートポンプの冷媒と通水との熱交換器であり、前記低段側蒸発器は、前記低段側ヒートポンプの冷媒と熱源流体との熱交換器であり、前記高段側凝縮器は、前記高段側ヒートポンプの冷媒と通水との熱交換器であり、前記高段側蒸発器は、前記高段側ヒートポンプの冷媒と熱源流体との熱交換器であり、前記カスケード熱交換器は、前記低段側ヒートポンプの冷媒と前記高段側ヒートポンプの冷媒との熱交換器であり、給水路を介した給水タンクへの給水が、前記給水加温用熱交換器、前記低段側凝縮器および前記高段側凝縮器に順に通され、前記低段側蒸発器と前記高段側蒸発器とに、熱源流体が、設定順序で直列に通されるか、並列に通され、これら各蒸発器への熱源流体の供給とは並列に、前記給水加温用熱交換器に熱源流体が通され、前記各圧縮機の停止状態からの起動時、まずは前記高段側圧縮機を起動し、その後、設定タイミングで前記低段側圧縮機を起動することを特徴とする給水加温システムである。
【００２１】
仮に、先に低段側圧縮機を起動し、遅れて高段側圧縮機を起動すると、高段側圧縮機の起動時に通水温度（高段側凝縮器の出口側水温）が高くなり過ぎるおそれがあるが、請求項５に記載の発明によれば、先に高段側圧縮機を起動し、遅れて低段側圧縮機を起動するので、低段側圧縮機の起動時に通水温度が過度に上昇するのが防止される。
【００２２】
請求項６に記載の発明は、低段側圧縮機、低段側凝縮器、カスケード熱交換器、低段側膨張弁および低段側蒸発器が順次環状に接続されて冷媒を循環させる低段側ヒートポンプと、高段側圧縮機、高段側凝縮器、高段側膨張弁、前記カスケード熱交換器および高段側蒸発器が順次環状に接続されて冷媒を循環させる高段側ヒートポンプと、熱源流体との熱交換により通水を加温する給水加温用熱交換器とを備え、前記低段側凝縮器は、前記低段側ヒートポンプの冷媒と通水との熱交換器であり、前記低段側蒸発器は、前記低段側ヒートポンプの冷媒と熱源流体との熱交換器であり、前記高段側凝縮器は、前記高段側ヒートポンプの冷媒と通水との熱交換器であり、前記高段側蒸発器は、前記高段側ヒートポンプの冷媒と熱源流体との熱交換器であり、前記カスケード熱交換器は、前記低段側ヒートポンプの冷媒と前記高段側ヒートポンプの冷媒との熱交換器であり、給水路を介した給水タンクへの給水が、前記給水加温用熱交換器、前記低段側凝縮器および前記高段側凝縮器に順に通され、前記低段側蒸発器と前記高段側蒸発器とに、熱源流体が、設定順序で直列に通されるか、並列に通され、これら各蒸発器への熱源流体の供給とは並列に、前記給水加温用熱交換器に熱源流体が通され、前記給水加温用熱交換器への熱源流体温度と、前記給水加温用熱交換器の出口側水温との温度差を設定値に維持するように、前記給水加温用熱交換器への熱源流体の供給流量を調整することを特徴とする給水加温システムである。
【００２３】
請求項６に記載の発明によれば、給水加温用熱交換器への熱源流体温度と、給水加温用熱交換器の出口側水温との温度差を設定値に維持するように、給水加温用熱交換器への熱源流体の供給流量を制御することで、給水加温用熱交換器における熱交換効率を高めることができる。また、給水加温用熱交換器への熱源流体温度が、給水加温用熱交換器の入口側水温よりも低い場合には、給水加温用熱交換器への熱源流体の供給が規制されるので、給水加温用熱交換器に熱源流体を通すと却って給水を冷却してしまう不都合が防止される。
【００２４】
さらに、請求項７に記載の発明は、低段側圧縮機、低段側凝縮器、カスケード熱交換器、低段側膨張弁および低段側蒸発器が順次環状に接続されて冷媒を循環させる低段側ヒートポンプと、高段側圧縮機、高段側凝縮器、高段側膨張弁、前記カスケード熱交換器および高段側蒸発器が順次環状に接続されて冷媒を循環させる高段側ヒートポンプと、熱源流体との熱交換により通水を加温する給水加温用熱交換器とを備え、前記低段側凝縮器は、前記低段側ヒートポンプの冷媒と通水との熱交換器であり、前記低段側蒸発器は、前記低段側ヒートポンプの冷媒と熱源流体との熱交換器であり、前記高段側凝縮器は、前記高段側ヒートポンプの冷媒と通水との熱交換器であり、前記高段側蒸発器は、前記高段側ヒートポンプの冷媒と熱源流体との熱交換器であり、前記カスケード熱交換器は、前記低段側ヒートポンプの冷媒と前記高段側ヒートポンプの冷媒との熱交換器であり、給水路を介した給水タンクへの給水が、前記給水加温用熱交換器、前記低段側凝縮器および前記高段側凝縮器に順に通され、前記低段側蒸発器と前記高段側蒸発器とに、熱源流体が設定順序で順に通され、これら各蒸発器への熱源流体の供給とは並列に、前記給水加温用熱交換器に熱源流体が通され、前記各蒸発器を通過後の熱源流体温度と、前記給水加温用熱交換器を通過後の熱源流体温度とが等しくなるように、前記各蒸発器と前記給水加温用熱交換器とへの熱源流体の分配割合を調整することを特徴とする給水加温システムである。
【００２５】
請求項７に記載の発明によれば、各蒸発器を設定順序で通過後の熱源流体温度と、給水加温用熱交換器を通過後の熱源流体温度とが等しくなるように、各蒸発器と給水加温用熱交換器とへの熱源流体の分配割合を調整することで、各ヒートポンプと給水加温用熱交換器とにバランスよく熱を分配することができる。
【発明の効果】
【００２６】
本発明の給水加温システムによれば、熱源流体の温度が低くても、効率よく給水を所望温度まで加温することができる。
【図面の簡単な説明】
【００２７】
【図１】本発明の一実施例の給水加温システムを示す概略図である。
【発明を実施するための形態】
【００２８】
以下、本発明の具体的実施例を図面に基づいて詳細に説明する。
図１は、本発明の一実施例の給水加温システム１を示す概略図である。
【００２９】
本実施例の給水加温システム１は、ボイラ２の給水タンク３への給水をヒートポンプ４，５で加温できるシステムであり、ボイラ２への給水を貯留する給水タンク３と、この給水タンク３への給水を貯留する補給水タンク６と、この補給水タンク６から給水タンク３への給水を加温するヒートポンプ４，５と、このヒートポンプ４，５の熱源としての熱源水（たとえば廃温水）を貯留する熱源水タンク７とを備える。
【００３０】
ボイラ２は、蒸気ボイラであり、給水タンク３からの給水を加熱して蒸気にする。ボイラ２は、典型的には、蒸気の圧力を所望に維持するように、燃焼量を調整される。また、ボイラ２は、缶体内の水位を所望に維持するように、給水タンク３からボイラ２への給水路またはボイラ２の内部に設けたポンプ８が制御される。ボイラ２からの蒸気は、各種の蒸気使用設備（図示省略）へ送られるが、蒸気使用設備からのドレン（蒸気の凝縮水）を給水タンク３へ戻してもよい。
【００３１】
給水タンク３は、補給水タンク６から、ヒートポンプ４，５を介して給水路９により給水可能であると共に、ヒートポンプ４，５を介さずに補給水路１０により給水可能である。給水路９に設けた給水ポンプ１１と、補給水路１０に設けた補給水ポンプ１２との作動を制御することで、給水路９と補給水路１０との内、いずれか一方または双方を介して、補給水タンク６から給水タンク３へ給水可能である。
【００３２】
給水ポンプ１１は、本実施例では、インバータにより回転数を制御可能とされる。給水ポンプ１１の回転数を変更することで、給水路９を介した給水タンク３への給水流量を調整することができる。一方、補給水ポンプ１２は、本実施例では、オンオフ制御される。
【００３３】
補給水タンク６は、給水タンク３への給水を貯留する。補給水タンク６への給水として、本実施例では軟水が用いられる。すなわち、軟水器（図示省略）にて水中の硬度分を除去された軟水は、補給水タンク６に供給され貯留される。補給水タンク６の水位に基づき軟水器からの給水を制御することで、補給水タンク６の水位は所望に維持される。
【００３４】
ヒートポンプ４，５は、蒸気圧縮式のヒートポンプであり、且つ、二元のヒートポンプサイクルから構成される。具体的には、低段側ヒートポンプ（低温側ヒートポンプ）４と、高段側ヒートポンプ（高温側ヒートポンプ）５とが、カスケード熱交換器１３を介して接続されて構成される。なお、各ヒートポンプ４，５の冷媒は、同じでもよいし、異なってもよい。
【００３５】
低段側ヒートポンプ４は、低段側圧縮機１４、低段側凝縮器１５、カスケード熱交換器１３、低段側膨張弁１６および低段側蒸発器１７が順次環状に接続されて、冷媒を循環させる。低段側ヒートポンプ４は、低段側蒸発器１７において、冷媒が外部から熱を奪って気化する一方、低段側凝縮器１５およびカスケード熱交換器１３において、冷媒が外部へ放熱して凝縮、過冷却する。これを利用して、低段側ヒートポンプ４は、低段側蒸発器１７において熱源水から熱を汲み上げ、低段側凝縮器１５において給水路９の水を加温すると共に、カスケード熱交換器１３において高段側ヒートポンプ５の冷媒を加熱する。
【００３６】
低段側ヒートポンプ４の各構成要素を順に説明する。低段側圧縮機１４は、ガス冷媒を圧縮して高温高圧にする。低段側凝縮器１５は、低段側ヒートポンプ４の冷媒と給水路９の水とを混ぜることなく熱交換する間接熱交換器であり、低段側圧縮機１４からのガス冷媒を凝縮する一方、給水路９の水を加温する。カスケード熱交換器１３は、低段側ヒートポンプ４の冷媒と高段側ヒートポンプ５の冷媒とを混ぜることなく熱交換する間接熱交換器であり、低段側凝縮器１５からの冷媒を過冷却する一方、高段側ヒートポンプ５の冷媒を蒸発させる。低段側膨張弁１６は、カスケード熱交換器１３からの液冷媒を通過させることで、冷媒の圧力と温度とを低下させる。低段側蒸発器１７は、低段側ヒートポンプ４の冷媒と熱源水とを混ぜることなく熱交換する間接熱交換器であり、低段側膨張弁１６からの冷媒を蒸発させる一方、熱源水を冷却する。
【００３７】
高段側ヒートポンプ５は、高段側圧縮機１８、高段側凝縮器１９、高段側過冷却器２０、高段側膨張弁２１、カスケード熱交換器１３および高段側蒸発器２２が順次環状に接続されて、冷媒を循環させる。高段側ヒートポンプ５は、カスケード熱交換器１３および高段側蒸発器２２において、冷媒が外部から熱を奪って気化する一方、高段側凝縮器１９および高段側過冷却器２０において、冷媒が外部へ放熱して凝縮、過冷却する。これを利用して、高段側ヒートポンプ５は、カスケード熱交換器１３において低段側ヒートポンプ４の冷媒から熱を汲み上げると共に、高段側蒸発器２２において熱源水から熱を汲み上げ、高段側過冷却器２０および高段側凝縮器１９において給水路９の水を加温する。
【００３８】
高段側ヒートポンプ５の各構成要素を順に説明する。高段側圧縮機１８は、ガス冷媒を圧縮して高温高圧にする。高段側凝縮器１９は、高段側ヒートポンプ５の冷媒と給水路９の水とを混ぜることなく熱交換する間接熱交換器であり、高段側圧縮機１８からのガス冷媒を凝縮する一方、給水路９の水を加温する。高段側過冷却器２０は、高段側ヒートポンプ５の冷媒と給水路９の水とを混ぜることなく熱交換する間接熱交換器であり、高段側凝縮器１９からの冷媒を過冷却する一方、給水路９の水を加温する。高段側膨張弁２１は、高段側過冷却器２０からの液冷媒を通過させることで、冷媒の圧力と温度とを低下させる。カスケード熱交換器１３は、低段側ヒートポンプ４の冷媒と高段側ヒートポンプ５の冷媒とを混ぜることなく熱交換する間接熱交換器であり、低段側凝縮器１５からの冷媒の過冷却器として機能すると共に、高段側膨張弁２１からの冷媒の蒸発器としても機能する。高段側蒸発器２２は、高段側ヒートポンプ５の冷媒と熱源水とを混ぜることなく熱交換する間接熱交換器であり、カスケード熱交換器１３からの冷媒を蒸発（さらに所望により過熱）させる一方、熱源水を冷却する。
【００３９】
なお、各ヒートポンプ４，５には、圧縮機１４，１８の入口側にアキュムレータを設置したり、圧縮機１４，１８の出口側に油分離器を設置したり、凝縮器１５，１９の出口側（凝縮器１５，１９と過冷却器１３，２０との間）に受液器を設置したりしてもよい。また、低段側凝縮器１５からカスケード熱交換器１３への冷媒と、低段側蒸発器１７から低段側圧縮機１４への冷媒とを間接熱交換する低段側液ガス熱交換器を設けたり、高段側凝縮器１９から高段側過冷却器２０への冷媒と、高段側蒸発器２２から高段側圧縮機１８への冷媒とを間接熱交換する高段側液ガス熱交換器を設けたりしてもよい。その他、各ヒートポンプ４，５の圧縮機１４，１８は、本実施例では、オンオフ制御され、作動中には、回転数が一定に維持されるが、場合により、所定箇所の温度もしくは圧力または水位などに基づき、インバータにより回転数を変更させてもよい。
【００４０】
熱源水タンク７は、各ヒートポンプ４，５の熱源としての熱源水を貯留する。熱源水とは、たとえば廃温水（工場などから排出される温水）である。本実施例の給水加温システム１の場合、熱源水温度が比較的低くても（たとえば３０〜４０℃程度であっても）、後述するように所望温度の温水を製造することができる。なお、熱源水タンク７には、熱源水の供給路２３が設けられると共に、所定以上の水をあふれさせるオーバーフロー路２４が設けられている。
【００４１】
給水加温システム１は、さらに、給水加温用熱交換器２５を備える。この給水加温用熱交換器２５は、給水路９を介した給水タンク３への給水と、熱源水タンク７からの熱源水とを混ぜることなく熱交換する間接熱交換器である。
【００４２】
給水路９を介した給水タンク３への給水は、給水加温用熱交換器２５、低段側凝縮器１５、高段側過冷却器２０および高段側凝縮器１９に、順に通される。一方、熱源水タンク７からの熱源水は、低段側蒸発器１７、高段側蒸発器２２および給水加温用熱交換器２５に、設定順序で直列に通されるか、一部または全部の熱交換器には並列に通される。好ましくは、低段側蒸発器１７と高段側蒸発器２２とに、熱源水が、設定順序で直列に通されるか、並列に通され、これら各蒸発器１７，２２への熱源水の供給とは並列に、給水加温用熱交換器２５に熱源水が通される。
【００４３】
本実施例では、熱源水タンク７からの熱源水は、熱源供給ポンプ２６を介した後、第一熱源供給路２７と第二熱源供給路２８とに分岐され、第一熱源供給路２７の熱源水は、高段側蒸発器２２および低段側蒸発器１７を順に通される一方、第二熱源供給路２８の熱源水は、給水加温用熱交換器２５に通される。つまり、本実施例では、高段側蒸発器２２と低段側蒸発器１７とに熱源水が順に通されると共に、これと並行に、給水加温用熱交換器２５に熱源水が通される。
【００４４】
第二熱源供給路２８には、開度調整可能な流量調整弁２９が設けられる。この流量調整弁２９の開度を調整することで、給水加温用熱交換器２５への熱源水の供給流量（通水流量）を調整することができる。
【００４５】
給水路９には、高段側凝縮器１９の出口側に、出湯温度センサ３０が設けられる。出湯温度センサ３０は、高段側凝縮器１９を通過後の水温を検出する。出湯温度センサ３０の検出温度に基づき、給水ポンプ１１が制御される。ここでは、給水ポンプ１１は、出湯温度センサ３０の検出温度を設定温度（たとえば７５℃）に維持するようにインバータ制御される。つまり、給水路９を介した給水タンク３への給水は、出湯温度センサ３０の検出温度を設定温度に維持するように、流量が調整される。但し、場合により、このような出湯温度センサ３０による流量調整制御を省略することもできる。
【００４６】
給水タンク３には、水位検出器３１が設けられる。この水位検出器３１は、その構成を特に問わないが、本実施例では、電極式水位検出器とされる。この場合、給水タンク３には、長さの異なる複数の電極棒３２，３３が、その下端部の高さ位置を互いに異ならせて差し込まれて保持されている。具体的には、給水停止電極棒３２および給水開始電極棒３３が、順に下端部の高さ位置を低くして、給水タンク３に挿入されている。さらに、破線で示すように、低段側停止電極棒３４を設けてもよく、その場合、給水停止電極棒３２、低段側停止電極棒３４および給水開始電極棒３３の順に、下端部の高さ位置を低くして、給水タンク３に挿入される。いずれにしても、各電極棒３２〜３４は、その下端部が水に浸かるか否かにより、下端部における水位の有無を検出する。なお、給水停止電極棒３２による検出水位を給水停止水位（上限水位）、給水開始電極棒３３による検出水位を給水開始水位（下限水位）、低段側停止電極棒３４による検出水位を低段側停止水位ということにする。
【００４７】
給水加温用熱交換器２５への熱源供給路（第一熱源供給路２７と第二熱源供給路２８との分岐部よりも上流の共通路であるのが好ましいが、場合により前記分岐部よりも下流の第二熱源供給路２８であってもよい）には、給水加温用熱交換器２５への熱源水温度を検出する熱源温度センサ３５が設けられる。一方、給水路９の内、給水加温用熱交換器２５の出口側には、給水加温用熱交換器２５の出口側水温を検出する水温センサ３６が設けられる。
【００４８】
各ヒートポンプ４，５（特にその圧縮機１４，１８）、給水ポンプ１１、補給水ポンプ１２、熱源供給ポンプ２６、流量調整弁２９、出湯温度センサ３０、水位検出器３１、熱源温度センサ３５および水温センサ３６などは、制御器（図示省略）に接続される。そして、制御器は、各センサ３０，３１，３５，３６の検出信号などに基づき、各ヒートポンプ４，５、各ポンプ１１，１２，２６および流量調整弁２９などを制御して、以下に述べる各制御を実行する。
【００４９】
給水路９を介した給水タンク３への給水は、給水タンク３の水位に基づき制御される。具体的には、本実施例では、次のように制御される。いま、給水停止電極棒３２が水位を検知し、給水タンク３の水位が十分にある場合（つまり給水停止水位を上回っている場合）、給水タンク３への給水は不要であるから、給水ポンプ１１を停止している。給水タンク３からボイラ２への給水により、給水タンク３の水位が下がり、給水開始電極棒３３が水位を検知しなくなると（つまり給水開始水位を下回った場合）、給水ポンプ１１を作動させる。これにより、給水路９を介して給水タンク３に給水されるが、給水停止電極棒３２が水位を検知すると、給水ポンプ１１を停止する。
【００５０】
給水タンク３には、給水路９を介して給水可能であると共に補給水路１０を介しても給水可能であるが、給水路９を介した給水が優先されるように制御されるのが好ましい。たとえば、給水タンク３の水位を設定範囲に維持するように、上述したとおり給水路９を介した給水を制御するが、それでは給水タンク３の水位が設定範囲を維持できない場合には、補給水路１０を介しても給水タンク３へ給水するのが好ましい。その場合、給水タンク３の水位検出器３１は、補給水ポンプ１２を発停するための水位（補給水開始水位と補給水停止水位）も検出可能に構成しておけばよい。
【００５１】
給水路９を介した給水タンク３への給水中（つまり給水ポンプ１１の作動中）、熱源供給ポンプ２６を作動させると共に、ヒートポンプ４，５（後述するように少なくとも高段側ヒートポンプ５）を作動させる。つまり、熱源供給ポンプ２６およびヒートポンプ４，５は、給水ポンプ１１と連動するよう発停される。但し、ヒートポンプ４，５の起動時、まずは給水ポンプ１１および熱源供給ポンプ２６を作動させて、ヒートポンプ４，５への給水および熱源水の供給を確認した後、ヒートポンプ４，５を起動するのが好ましい。なお、ヒートポンプ４，５は、その圧縮機１４，１８の作動の有無により、運転と停止が切り替えられる。
【００５２】
給水路９を介した給水タンク３への給水中、給水ポンプ１１は、出湯温度センサ３０の検出温度を設定温度に維持するように、回転数をインバータ制御されるのがよい。以下、この制御を、出湯温度一定制御という。
【００５３】
ヒートポンプ４，５の起動時、まずは高段側ヒートポンプ５を起動し、その後、設定タイミングで低段側ヒートポンプ４を起動するのがよい。たとえば、まずは高段側ヒートポンプ５を起動し、その起動から設定時間（高段側ヒートポンプ５の運転が安定するまでの時間であり、たとえば５分）後、低段側ヒートポンプ４を起動するのがよい。その理由は、次のとおりである。
【００５４】
すなわち、仮に、低段側ヒートポンプ４を先に起動し、遅れて高段側ヒートポンプ５を起動する場合、低段側ヒートポンプ４のみ運転中でも、前述した出湯温度一定制御により、出湯温度センサ３０の検出温度を設定温度に維持するように給水量が調整されるので、その状態で、給水路９の下流側の高段側ヒートポンプ５をさらに起動すると、出湯温度センサ３０の検出温度が設定温度を超えるおそれがある。また、比較的高温の水が高段側ヒートポンプ５に通されるので、高段側ヒートポンプ５の起動時、高段側凝縮器１９や高段側過冷却器２０において冷媒を所望に凝縮できず、高段側ヒートポンプ５の冷媒の圧力や温度が高まり過ぎて、高段側ヒートポンプ５をインターロック停止させるおそれもある。これに対し、高段側ヒートポンプ５を先に起動しておけば、そのような不都合を防止することができる。
【００５５】
ヒートポンプ４，５を運転して、補給水タンク６から給水路９を介して給水タンク３へ給水する際、補給水タンク６からの給水は、給水加温用熱交換器２５、低段側凝縮器１５、高段側過冷却器２０および高段側凝縮器１９に順に通され加温される。一方、熱源水タンク７からの熱源水は、本実施例では、高段側蒸発器２２と低段側蒸発器１７とに順に通されると共に、これと並行に給水加温用熱交換器２５に通される。各蒸発器２２，１７と給水加温用熱交換器２５とに熱源水を直列に順に通す場合と比較して、各蒸発器２２，１７と給水加温用熱交換器２５とに熱源水を並列に通す場合、比較的高温の熱源水を給水加温用熱交換器２５に通すことができる。これにより、給水加温用熱交換器２５における熱交換量を高めることができ、ヒートポンプ４，５の手前における給水の加温が図られるので、各圧縮機１４，１８の動力を小さくして、ヒートポンプ４，５の効率を向上することができる。さらに、各蒸発器２２，１７と給水加温用熱交換器２５とに順に熱源水を通した場合、各蒸発器２２，１７が圧損要素となるが、各蒸発器２２，１７と給水加温用熱交換器２５とに熱源水を並列に通す場合、そのような圧損要素がないというメリットもある。
【００５６】
また、本実施例の給水加温システム１によれば、低段側ヒートポンプ４で熱源水から汲み上げられた熱は、カスケード熱交換器１３を介して、高段側ヒートポンプ５でさらに汲み上げられる上、高段側ヒートポンプ５では、カスケード熱交換器１３とは別に設けた高段側蒸発器２２においても、熱源水から熱が汲み上げられる。従って、熱源水が比較的低温であっても、給水路９の通水を所望に加温することができる。また、カスケード熱交換器１３で高段側蒸発器２２のサポートをすることで、高段側蒸発器２２からの熱源水の出口温度の低下を防止することができる。さらに、低段側ヒートポンプ４では、低段側凝縮器１５がカスケード熱交換器１３より低段側圧縮機１４の側（つまり冷媒がより高温の側）に設けられ、低段側圧縮機１４からの高温の冷媒で通水を加温できるので、給水路９の水温を昇温させ易い。
【００５７】
両ヒートポンプ４，５を運転して、給水路９を介した給水タンク３への給水中、設定条件を満たすと、高段側圧縮機１８の運転を維持しつつ、低段側圧縮機１４の運転を停止してもよい。つまり、高段側ヒートポンプ５のみを運転しつつ、給水路９を介した給水タンク３への給水を図ってもよい。
【００５８】
たとえば、高段側蒸発器２２への熱源水温度が低段側停止温度を超えると、前記設定条件を満たしたとして、低段側圧縮機１４を停止させればよい。具体的には、熱源温度センサ３５の検出温度が低段側停止温度を超えると、低段側圧縮機１４を停止させればよい。その後、給水ポンプ１１の作動が継続中であることを前提に、熱源温度センサ３５の検出温度が低段側起動温度以下になれば、低段側圧縮機１４を起動すればよい。このようにして、熱源水が比較的高温の場合には、高段側ヒートポンプ５のみで給水を所望に加温できるから、低段側ヒートポンプ４を停止させて、消費電力の削減を図ることができる。
【００５９】
また、給水ポンプ１１の回転数をインバータで制御しつつ、出湯温度一定制御を実施する場合において、給水ポンプ１１の回転数が低段側停止値を超える（たとえば、インバータ制御による給水ポンプ１１のモータの駆動周波数が予め設定された最大周波数を超える）と、前記設定条件を満たしたとして、低段側圧縮機１４を停止すればよい。その後、給水ポンプ１１の作動が継続中であることを前提に、給水ポンプ１１の回転数が低段側起動値以下になれば、低段側圧縮機１４を起動すればよい。
【００６０】
出湯温度一定制御により、給水ポンプ１１の回転数（周波数）を調整中、通水量（給水ポンプ１１の回転数）が高くなり過ぎ、出湯温度センサ３０の検出温度を設定温度に維持できないおそれがある場合には、低段側ヒートポンプ４を停止させることで、そのような不都合を防止できる。また、高段側ヒートポンプ５の冷媒圧が高くなり過ぎるのを防止できる。
【００６１】
さらに、給水タンク３の水位検出器３１において、前述したとおり、給水停止電極棒３２および給水開始電極棒３３の他に、低段側停止電極棒３４を設けておくなどして、給水停止水位と給水開始水位との間（典型的には中央）で、低段側停止水位を検知可能としておき、給水タンク３の水位が低段側停止水位を上回ると、前記設定条件を満たしたとして、低段側圧縮機１４を停止するようにしてもよい。この場合、給水開始電極棒３３が水位を検知せず（つまり給水開始水位を下回っており）、両ヒートポンプ４，５が作動中だとして、水位上昇時、低段側停止電極棒３４が水位を検知する（つまり低段側停止水位を上回る）と、まずは低段側ヒートポンプ４を停止し、さらに給水停止電極棒３２が水位を検知する（つまり給水停止水位を上回る）と、高段側ヒートポンプ５も停止する。その状態から逆に、水位下降時、低段側停止電極棒３４が水位を検知しなくなる（つまり低段側停止水位を下回る）と、まずは高段側ヒートポンプ５を起動し、さらに給水開始電極棒３３が水位を検知しなくなる（つまり給水開始水位を下回る）と、低段側ヒートポンプ４も起動する。
【００６２】
ところで、給水加温用熱交換器２５への熱源水温度と、給水加温用熱交換器２５の出口側水温との温度差を設定値に維持するように、給水加温用熱交換器２５への熱源水の供給流量を制御するのがよい。具体的には、給水ポンプ１１の作動中、水温センサ３６の検出温度Ｔ１と、熱源温度センサ３５の検出温度Ｔ２とを比較し、Ｔ２−Ｔ１が一定温度（たとえば１℃）になるように、流量調整弁２９の開度を調整すればよい。これにより、給水加温用熱交換器２５への熱源水の供給流量を最小限にできる。また、給水加温用熱交換器２５への熱源水温度が、給水加温用熱交換器２５の入口側水温よりも低い場合には、給水加温用熱交換器２５への熱源水の供給が規制されるので、給水加温用熱交換器２５に熱源水を通すと却って給水を冷却してしまう不都合が防止される。
【００６３】
本発明の給水加温システム１は、前記実施例の構成に限らず、適宜変更可能である。特に、カスケード熱交換器１３で接続された低段側ヒートポンプ４と高段側ヒートポンプ５との他、給水加温用熱交換器２５を備え、給水路９を介した給水タンク３への給水が、給水加温用熱交換器２５、低段側凝縮器１５および高段側凝縮器１９に順に通されるのであれば、その他の構成（制御を含む）は適宜に変更可能である。たとえば、前記実施例において、高段側過冷却器２０は、場合により設置を省略してもよい。
【００６４】
また、低段側蒸発器１７、高段側蒸発器２２および給水加温用熱交換器２５への熱源水の流し方は、前記実施例の構成に限らず適宜に変更可能である。
【００６５】
また、前記実施例では、給水加温用熱交換器２５への第二熱源供給路２８に流量調整弁２９を設けたが、給水加温用熱交換器２５への熱源水の供給流量（あるいは後述するように第一熱源供給路２７と第二熱源供給路２８とへの熱源水の供給流量つまり分配割合）を調整可能であれば、その具体的構成は適宜に変更可能である。
【００６６】
たとえば、前記実施例では、第一熱源供給路２７との分岐後の第二熱源供給路２８に流量調整弁２９を設け、この流量調整弁２９を熱源温度センサ３５と水温センサ３６の各検出温度に基づき制御したが、第二熱源供給路２８に流量調整弁２９を設ける代わりに、第一熱源供給路２７と第二熱源供給路２８との分岐部に、図１において破線で示すように三方弁３７を設けてもよい。三方弁３７は、熱源供給ポンプ２６からの熱源水について、第一熱源供給路２７と第二熱源供給路２８への分配割合を調整する。前記実施例と同様に、給水加温用熱交換器２５への熱源水温度と、給水加温用熱交換器２５の出口側水温との温度差を設定値に維持するように、三方弁３７による分配割合を調整して、給水加温用熱交換器２５への熱源水の供給流量を調整してもよい。
【００６７】
また、このような三方弁３７を設けた場合（あるいは前記実施例と同様に流量調整弁２９を設けた場合）において、給水加温用熱交換器２５への熱源水温度と、給水加温用熱交換器２５の出口側水温との温度差を設定値に維持するように、給水加温用熱交換器２５への熱源水の供給流量を制御することに代えて、次のように制御してもよい。すなわち、低段側蒸発器１７と高段側蒸発器２２とに、熱源水が設定順序で順に通され、これら各蒸発器１７，２２への熱源水の供給とは並列に、給水加温用熱交換器２５に熱源水が通されるシステムにおいて、各蒸発器１７，２２を通過後の熱源水温度と、給水加温用熱交換器２５を通過後の熱源水温度とが等しくなるように、各蒸発器１７，２２と給水加温用熱交換器２５とへの熱源水の分配割合を調整してもよい。たとえば、図１において、熱源供給ポンプ２６の作動中、低段側蒸発器１７の出口側の熱源水温度（Ａ点の温度）と、給水加温用熱交換器２５の出口側の熱源水温度（Ｂ点の温度）とをそれぞれ温度センサ（図示省略）で監視し、両温度が等しくなるように三方弁３７などを制御すればよい。この場合、各蒸発器１７，２２および給水加温用熱交換器２５にバランスよく熱を分配することができる。
【００６８】
また、前記実施例では、給水路９を介した給水タンク３への給水流量を調整するために、給水ポンプ１１をインバータ制御したが、給水ポンプ１１をオンオフ制御しつつ、給水路９に設けたバルブの開度を調整してもよい。つまり、出湯温度センサ３０の検出温度などに基づき給水路９を介した給水の流量を調整可能であれば、その流量調整方法は適宜に変更可能である。
【００６９】
また、前記実施例では、給水ポンプ１１の回転数をインバータで制御しつつ、出湯温度一定制御を実施する場合において、給水ポンプ１１の回転数（周波数）が低段側停止値を超えると、設定条件を満たしたとして、低段側圧縮機１４を停止させた。これに関し、給水ポンプ１１をインバータ制御するのではなく、給水路９の通水流量をバルブの開度調整で行う場合、次のように制御してもよい。すなわち、そのバルブの開度が低段側停止値を超えると、前記設定条件を満たしたとして、低段側圧縮機１４を停止させてもよい。その後、バルブの開度が低段側起動値以下になれば、低段側圧縮機１４を起動すればよい。
【００７０】
また、前記実施例では、給水タンク３への給水を貯留するために補給水タンク６を設置したが、場合により補給水タンク６の設置を省略して、給水源から直接に給水路９および補給水路１０に水を通してもよい。
【００７１】
また、前記実施例では、給水路９および／または補給水路１０を介して、補給水タンク６から給水タンク３へ給水可能としたが、これら給水は、軟水器から直接に行ってもよい。たとえば、図１において、給水路９および補給水路１０の基端部をまとめて軟水器に接続し、給水ポンプ１１の設置を省略する代わりに給水路９に設けた電動弁（モータバルブ）の開度を調整し、補給水ポンプ１２の設置を省略する代わりに補給水路１０に設けた電磁弁の開閉を制御すればよい。
【００７２】
また、前記実施例では、ボイラ２の給水タンク３への給水をヒートポンプ４，５で加温できるシステムについて説明したが、給水タンク３の貯留水の利用先は、ボイラ２に限らず適宜に変更可能である。そして、場合により、補給水タンク６や補給水路１０を省略してもよい。
【００７３】
また、前記実施例では、ヒートポンプ４，５の熱源（給水加温用熱交換器２５において給水を加温する流体でもある。）として熱源水を用いた例について説明したが、ヒートポンプ４，５の熱源流体として、熱源水に限らず、空気や排ガスなど各種の流体を用いることができる。
【００７４】
さらに、前記実施例では、ヒートポンプ４，５の圧縮機１４，１８は、電気モータにより駆動されたが、圧縮機１４，１８の駆動源は特に問わない。たとえば、圧縮機１４，１８は、電気モータに代えてまたはそれに加えて、蒸気を用いて動力を起こすスチームモータ（蒸気エンジン）により駆動されたり、ガスエンジンにより駆動されたりしてもよい。その場合、スチームモータへの給蒸量を調整したり、ガスエンジンへの供給ガス量を調整したりして、圧縮機１４，１８の出力が調整可能である。
【符号の説明】
【００７５】
１  給水加温システム
３  給水タンク
４  低段側ヒートポンプ
５  高段側ヒートポンプ
６  補給水タンク
７  熱源水タンク
９  給水路
１１  給水ポンプ
１３  カスケード熱交換器
１４  低段側圧縮機
１５  低段側凝縮器
１６  低段側膨張弁
１７  低段側蒸発器
１８  高段側圧縮機
１９  高段側凝縮器
２０  高段側過冷却器
２１  高段側膨張弁
２２  高段側蒸発器
２５  給水加温用熱交換器
２６  熱源供給ポンプ
２７  第一熱源供給路
２８  第二熱源供給路
２９  流量調整弁
３０  出湯温度センサ
３１  水位検出器
３２  給水停止電極棒
３３  給水開始電極棒
３４  低段停止電極棒
３５  熱源温度センサ
３６  水温センサ
【図１】
0006421496.tif 000002